(57)【特許請求の範囲】
【請求項１】
先端に鈎部が折り曲げ形成された棒状部材からなる挿入部材を有し、この挿入部材が電動工具のハウジング内に挿入可能な工具吊下げ用フックと、
前記フックの鈎部をその伸び方向に案内した後に前記挿入部材を前記ハウジング内に一定の挿入方向で案内する前記ハウジングに形成された前記棒状部材の直径よりも僅かに大きいフック挿入孔と、
前記ハウジング内に、前記フックの挿入方向に対して交差する方向に摺動可能に配置され、前記フックの前記鈎部と接触可能な傾斜面、及び、前記傾斜面に隣接して設けられ、前記鈎部を受け入れるための係合凹部を有する摺動部材と、
前記摺動部材をその摺動方向における一方の方向に付勢するための弾性手段と
からなり、前記フックの前記ハウジング内への挿入により、前記鈎部が前記傾斜面と接触して、前記摺動部材がその摺動方向における他方の方向に前記弾性手段に抗して摺動し、前記フックの挿入長さが所定の長さに到達したときに、前記鈎部が前記摺動部材の係合凹部に係合するように、前記摺動部材が前記弾性手段によって前記一方の方向に摺動して、前記フックが前記摺動部材にロックされることを特徴とする電動工具。
【発明の詳細な説明】
【０００１】
【発明の属する技術分野】
本発明は、着脱可能な工具吊下げ用フックを備えた電動工具に関する。
【０００２】
【従来の技術】
近年、インパクトドライバ等の電動工具は、蓄電池を使用することによって、コードレス化が実現され、持ち運びが容易になり、作業性が著しく改善されている。この種の電動工具には、携行性を改善するために、作業者のベルト等に掛止可能な構造が要求される。
【０００３】
このような要求に応えて、実開平６−３１９７４号公報には、電動工具のハンドルに、吊下げ用フックをバンドによって固定する技術が開示されている。
【０００４】
しかしながら、バンドのハンドルへの取付け及びそこからの取外し作業は比較的煩雑であり、更なる改善が望まれていた。
【０００５】
このような実情に鑑み、特開平９−２２５８６１号公報及び特開平１０−１５８５２号公報には、着脱が容易な吊下げ用フックを備えた電動工具が開示されている（以下、「先行技術」という）。先行技術においては、吊下げ用フックは弾性変形可能な材料から形成されており、これを弾性変形させることにより、電動工具のハウジングに形成された係合部への着脱を可能にしている。
【０００６】
【発明が解決しようとする課題】
しかしながら、先行技術の電動工具においては、吊下げ用フックに外力が付与された場合に、これが弾性変形して、ハウジングから不用意に外れる虞がある。
【０００７】
本発明の目的は、吊下げ用フックの着脱を容易にすることはもとより、これがハウジングから不用意に外れることを防止し、信頼性を確保することが可能な電動工具を提供することにある。
【０００８】
【課題を解決するための手段】
上述した課題を解決するために、請求項１の本発明の電動工具は、先端に鈎部（５ｂｘ、５ｃｘ）が折り曲げ形成された棒状部材からなる挿入部材（５ｂ，５ｃ）を有し、この挿入部材（５ｂ，５ｃ）が電動工具のハウジング（Ｈ）内に挿入可能な工具吊下げ用フック（５）と、前記フック（５）の鈎部（５ｂｘ、５ｃｘ）をその伸び方向に案内した後に前記挿入部材（５ｂ，５ｃ）を前記ハウジング（Ｈ）内に一定の挿入方向で案内する前記ハウジング（Ｈ）に形成された前記棒状部材の直径よりも僅かに大きいフック挿入孔（２ｂ、２ｃ）と、前記ハウジング（Ｈ）内に、前記フック（５）の挿入方向に対して交差する方向に摺動可能に配置され、前記フック（５）の前記鈎部（５ｂｘ、５ｃｘ）と接触可能な傾斜面（６ｂ、６ｃ）、及び、前記傾斜面（６ｂ、６ｃ）に隣接して設けられ、前記鈎部（５ｂｘ、５ｃｘ）を受け入れるための係合凹部（６ｄ、６ｅ）を有する摺動部材（６）と、前記摺動部材（６）をその摺動方向における一方の方向に付勢するための弾性手段（７）とからなり、前記フック（５）の前記ハウジング（Ｈ）内への挿入により、前記鈎部（５ｂｘ、５ｃｘ）が前記傾斜面（６ｂ、６ｃ）と接触して、前記摺動部材（６）がその摺動方向における他方の方向に前記弾性手段（７）に抗して摺動し、前記フック（５）の挿入長さが所定の長さに到達したときに、前記鈎部（５ｂｘ、５ｃｘ）が前記摺動部材（６）の係合凹部（６ｄ、６ｅ）に係合するように、前記摺動部材（６）が前記弾性手段（７）によって前記一方の方向に摺動して、前記フック（５）が前記摺動部材（６）にロックされることを特徴とする。
【０００９】
【発明の実施の形態】
以下、本発明の実施形態に係る電動工具を、添付図面を参照して詳述する。
【００１０】
本発明の電動工具は、インパクトドライバに適用されたもので、パワーユニット（図示せず）を内蔵したハウジングＨを備えている。ハウジングＨは、このドライブユニットを収容するためのパワーユニット収納部１と、ハンドル２とから構成される。図１及び図２において、符号３は、パワーユニットの電源回路をオンオフするためのトリガー型スイッチであり、符号４は、パワーユニットによって回転駆動され、アタッチメント（図示せず）が取り付けられるチャックである。
【００１１】
インパクトドライバとしての電動工具の基本的な構造は、従来のものと同一であるため、その説明を省略する。
【００１２】
本発明の電動工具は、工具吊下げ用フック５を備えている。このフック５は、円形の断面を有する棒状部材を折り曲げ成形したもので、図１及び図５から最も良く理解されるように、Ｕ字状部分５Ａと、その端部にそれぞれ一体的に設けられた一対の支持脚５Ｂ、５Ｃとから構成される。支持脚５Ｂ、５Ｃは、図５に示すように、Ｕ字状部分５Ａの中心軸を通る平面と直交する平面において、クランク状に折り曲げられている。支持脚５Ｂ、５Ｃは、後述するようにハンドル２内に挿入可能な挿入部５ｂ、５ｃをそれぞれ有している。この挿入部５ｂ、５ｃの先端には、これをＵ字状部分５Ａと反対の方向に約９０度折り曲げることによって、鈎部５ｂｘ、５ｃｘがそれぞれ形成されている。
【００１３】
上述した工具吊下げ用フック５をハンドル２に着脱可能に取り付けるために、ハンドル２内に摺動部材６及び弾性手段としてのスプリング７が組み込まれている。
【００１４】
即ち、ハンドル２の下端には、フック５を挿入するための孔２ｂ、２ｃが前後方向、即ち、パワーユニットの長さ方向に間隔をあけて形成されている。この孔２ｂ、２ｃの内径は、フック５の直径よりも僅かに大きい。ハンドル２の内部において、これらの孔２ｂ、２ｃの上方の位置には、摺動部材６を案内するための案内溝２ａが、上記孔２ｂ、２ｃに連通されるようにして形成されている。この案内溝２ａは、ハンドル２の孔２ｂ、２ｃからのフック５の挿入方向に対して直交する方向に伸びている。
【００１５】
摺動部材６は、図７及び図８から最も良く理解されるように、ハンドル２の案内溝２ａ内において、フック５の挿入方向に対して交差する方向、より詳しく言えば、直交する方向に摺動可能に配置されている。摺動部材６は、その下方部分、即ち、孔２ｂ、２ｃ寄りの位置に、フック５の鈎部５ｂｘ、５ｃｘと接触可能な一対の傾斜面６ｂ、６ｃをそれぞれ有している。更に、これら傾斜面６ｂ、６ｃの上端には、これと隣接するように、一対の係合凹部６ｄ、６ｅがそれぞれ形成されている。この摺動部材６は、図７及び図８に示すように、ほぼ中央の位置にスプリング収容空間６ｇを有している。また、この摺動部材６は、上記スプリング収容空間６ｇ内で、図７及び図８において左側に向かって突出するスプリング案内棒６ｆを有している。更に、摺動部材６は、一方の側面に摘み部６ａを有しており、この摘み部６ａは、図４に示すように、ハンドル２に形成された開口２ｅから外部に露呈している。勿論、この開口２ｅは、摺動部材６の摺動を許容する長さを有している。
【００１６】
弾性手段としてのスプリング７は、摺動部材６をその摺動方向における一方の方向、即ち、図７及び図８において、右側に付勢している。即ち、図３に示すように、ハンドル２の内面から摺動部材６のスプリング収容空間６ｇ内に伸びるスプリング受け座２ｄを設け、このスプリング受け座２ｄにスプリング７の一端を載置すると共に、その他端側を上記スプリング案内棒６ｆの外側に嵌め込んでいる。このような付勢状態において、摺動部材６のスプリング収容空間６ｇの一部を形成する面が、図８に示すように、スプリング受け座２ｄに当接し、これにより、摺動部材６の一方の方向への摺動限界位置が規制される。
【００１７】
次に、本発明の電動工具におけるフック５の着脱方法を、図６乃至図１０を参照して説明する。
【００１８】
フック５をハンドル２に取り付けるには、先ず、図６（ａ）に示すように、フック５の鈎部５ｂｘ、５ｃｘを上方に向けて、これらをハンドル２の孔２ｂ、２ｃにそれぞれ挿入する。次いで、図６（ｂ）に示すように、フック５を矢印Ｒ方向に回転させて、図６（ｃ）に示すように、フック５の挿入部５ｂ、５ｃを略垂直状態に保持する。このような状態で、フック５を矢印Ｕ方向に上昇させる。
【００１９】
上述したようにフック５を上昇させ、フック５の挿入長さが第１の所定の長さに到達すると、図７に示すように、フック５の鈎部５ｂｘ、５ｃｘが、摺動部材６の傾斜面６ｂ、６ｃとそれぞれ接触し、フック５の挿入を継続して行うと、摺動部材６はスプリング７に抗して、図７において左側に摺動する。
【００２０】
フック５の挿入を更に継続して行い、フック５の挿入長さが第２の所定の長さに到達すると、フック５の鈎部５ｂｘ、５ｃｘが摺動部材６の係合凹部６ｄ、６ｅにそれぞれ係合するように、摺動部材６がスプリング７により、図８において右側に摺動し、これにより、フック５は摺動部材６にロックされる。この状態で、電動工具はフック５を介して、作業者のベルト等に掛けられる。
【００２１】
上述したロック状態は、摺動部材６をスプリング７に抗して摺動させない限り、解除されることはない。従って、先行技術とは異なり、フック５に外力が付与された場合であっても、これがハンドル２から不用意に外れることはない。
【００２２】
上述した実施形態においては、孔２ｂ、２ｃは、ハンドル２の下端の中央部に形成されており、傾斜面６ｂ、６ｃは、図４に示すように、フック５の挿入部５ｂ、５ｃに関して上下方向に対称の位置に形成されている。従って、上述した取付作業を行えば、フック５のＵ字状部分５Ａが、図２において実線で示すように、ハンドル２よりも左側に位置するが、図６（ａ）に示されたフックの位置から、フック５が鈎部５ｂｘ（５ｃｘ）の中心軸線に関して線対称の関係に置かれる位置に変更して、上述と同様の取付作業を行えば、フック５のＵ字状部分５Ａを、図２において二点鎖線で示すように、ハンドル２よりも右側に位置させることも可能である。
【００２３】
上述したロック状態を解除する場合には、先ず、ハンドル２の外側に露呈した摺動部材６の摘み部６ａを操作して、摺動部材６をスプリング６に抗して、図９において左側に摺動させ、このような状態で、フック５をハンドル２に対して下方に引き下ろす。
【００２４】
次いで、フック５を、図６において矢印Ｒ方向と反対側の方向に回転させて、図６に示した状態に置く。次いで、このような状態から、フック５をハンドル２に対して下方に引き抜く。これにより、フック５はハンドルから取り外される。
【００２５】
上述した実施形態においては、ハウジングＨにおけるハンドル２内に摺動部材６及び弾性手段７が組み込まれたものとして説明したが、これに限定されるものではなく、ハウジングＨにおけるパワーユニット収納部１に摺動部材６及び弾性手段７を組み込み、このパワーユニット収納部１にフック５を着脱可能に取り付けることも可能である。
【００２６】
また、上述した実施形態においては、本発明は、インパクトドライバに適用されたものとして説明したが、これに限定されるものではなく、他の電動工具、例えば、電動ドリル等に適用することも可能である。
【００２７】
【発明の効果】
請求項１の本発明の電動工具によれば、先端に鈎部が折り曲げ形成された棒状部材からなる挿入部材を有し、この挿入部材が電動工具のハウジング内に挿入可能な工具吊下げ用フックと、前記フックの鈎部をその伸び方向に案内した後に前記挿入部材を前記ハウジング内に一定の挿入方向で案内する前記ハウジングに形成された前記棒状部材の直径よりも僅かに大きいフック挿入孔と、ハウジング内に、フックの挿入方向に対して交差する方向に摺動可能に配置され、フックの鈎部と接触可能な傾斜面、及び、傾斜面に隣接して設けられ、鈎部を受け入れるための係合凹部を有する摺動部材と、摺動部材をその摺動方向における一方の方向に付勢するための弾性手段とからなり、フックのハウジング内への挿入により、鈎部が傾斜面と接触して、摺動部材がその摺動方向における他方の方向に弾性手段に抗して摺動し、フックの挿入長さが所定の長さに到達したときに、鈎部が摺動部材の係合凹部に係合するように、摺動部材が弾性手段によって一方の方向に摺動して、フックが摺動部材にロックされるように構成されているので、吊下げ用フックの着脱を容易にすることはもとより、これがハウジングから不用意に外れることが防止され、信頼性が確保される。
【図面の簡単な説明】
【図１】本発明の電動工具を示す正面図
【図２】図１の電動工具の右側面図
【図３】図１のＩＩＩ−ＩＩＩ線断面図
【図４】図１のＩＶ−ＩＶ線断面図
【図５】図１のＶ−Ｖ線断面図
【図６】フックの取付工程を示す図
【図７】フックの挿入途中の段階を示す断面図
【図８】フックのロック状態を示す断面図
【図９】フックのロック解除状態を示す断面図
【図１０】図９のＸ−Ｘ線断面図
【符号の説明】
Ｈ  ハウジング
５  フック
５ｂｘ、５ｃｘ  鈎部
６  摺動部材
６ｂ、６ｃ  傾斜面
６ｄ、６ｅ  係合凹部
７  弾性手段
【図１】
0003664970.tif 000002
【図２】
0003664970.tif 000003
【図３】
0003664970.tif 000004
【図４】
0003664970.tif 000005
【図５】
0003664970.tif 000006
【図６】
0003664970.tif 000007
【図７】
0003664970.tif 000008
【図８】
0003664970.tif 000009
【図９】
0003664970.tif 000010
【図１０】
0003664970.tif 000011